(57)【要約】【課題】  通常の屋内の壁面に開口部を横向きに設置されたライティングダクトに取り付け、発光部分を壁面より突出させた形態で設置し、主に壁面及び壁面に掲示された絵画等を照射する照明器具等の内蔵用アダプターに於いて、最小限の構造変更と専用部品の追加で、剛性と信頼性の高い横向き取付対応型のダクトプラグ装置を供給し、吊り下げ使用時にも違和感のない構造として共用を計りコスト上昇を防ぐと共に、ダクトカバーとの調和をも考慮した施工システムの具体化を課題とする。【解決手段】  屈曲変形の原因になっているライティングダクト上部とダクトプラグ筐体上部の開きを、個別に設けた補強補助具で引き寄せる構造とする。引っ掛かり部を設置するためにダクトプラグ筐体最上部に突起を設ける。補強補助具の先端はライティングダクトの折返し部の内側奥部に引っ掛かり剛性を確保する。  ダクトプラグ筐体と器具本体部の連結アームの結合は、中間結合具の回転フランジ部をダクトプラグ筐体の内側最大径に設定し、化粧ナットを締め込んだ際の剛性強化を計る。【選択図】    図２
2007035607.tif 000002
【特許請求の範囲】
【請求項１】
屋内壁面に開口部を横向きにして取り付けられた商用電源用のライティングダクトに、器具内蔵用アダプターであるダクトプラグを使用して取り付けられて所定の距離を保って壁面等を照射する照明器具に於いて、ライティングダクトとダクトプラグの上部に発生する相互間の引っ張り荷重を、実使用時に最上部かつライティングダクトとの近接部になるダクトプラグ筐体外郭の一部に設けた掛止部とライティングダクト上側の開口折返し部とを相互に引っ掛けて引き寄せる効果を発揮する補強装置とから成り、照明器具本体部の重量と突き出しアーム長との積による回転トルク負荷を、ライティングダクトまたはダクトプラグの筐体最下端部への圧縮荷重と補強装置への引っ張り荷重にて支え、ダクトプラグの電気的接触子及び機械的保持用引掛爪部に横向き取付による直接的な負荷荷重を与えない構造としたことを特徴とする器具内蔵用アダプターであるダクトプラグおよび横向き取付補強装置。
【請求項２】
実使用時に最上部かつライティングダクトとの近接部になる筐体外郭の一部に突起を設け横向き取付補強装置への引っ掛かり構造部とすると共に、取付時の９０度の回転操作によって補強装置へ嵌合し引っ掛かる事を特徴とする請求項１項記載の器具内蔵用アダプターとしてのダクトプラグ。
【請求項３】
概略円筒形状のダクトプラグ筐体外郭に密接する円弧部に引掛部を設置してダクトプラグの突起を引っ掛けると共に、突起が摺動する部分に案内と反荷重方向への予備張力を与えるための斜面または曲面を設け、ダクトプラグ筐体の両側に傾斜して伸ばした腕部の先端をライティングダクトの開口折返しの内側奥方に潜り込ませて、荷重を２カ所に分散すると共にライティングダクトの開口折返し部の極力根元部へ荷重を負荷し、ライティングダクト筐体の変形を低減させる形状および構造を特徴とする請求項１項記載の横向き取付補強装置。
【請求項４】
実使用時の照射方向角度調整の回転機構部に於いて、器具本体部と一体となって回転する結合部品のダクトプラグ内に挿入されて摺動回転するフランジ外径を概略ダクトプラグの最大内径とすると共に、結合部品の外側に設けた雄ねじ部と組み合わさる化粧ナットとでダクトプラグ筐体下部外郭を締め付けて、ダクトプラグ筐体と器具本体部分とを概略一体の剛体と成して横向き取付時の屈曲を減少させることを特徴とする請求項１項記載の器具内蔵用アダプターまたはダクトプラグ。
【請求項５】
実使用時の照射角度の調整角度制限装置に於いて、外径を概略ダクトプラグの最大内径とした略断面Ｓ字形の回転体の上下にダクトプラグ筐体および回転摺動する結合部品の突起を反復修道させる摺動可動部と突起を突き当てる掛止部を設け、Ｓ字状の各辺および隅角部に掛止部各辺を結合し少なくとも二辺または面で回転制限負荷を支える構造を特徴とした請求項１項および請求項４項記載の器具内用アダプターまたはダクトプラグ。
【発明の詳細な説明】
【技術分野】
【０００１】  本発明は、通常の屋内の壁面に開口部を横向きに設置されたライティングダクトに取り付け、発光部分を壁面より突出させた形態で設置し、主に壁面及び壁面に掲示された絵画等を照射する照明器具等の内蔵用アダプターに関するもので、横向きに取り付けることで発生する変位変形による接触不良や自重による撓み変形を極力軽減するアダプターとその補強補助具の構成と構造に関する。
【背景技術】
【０００２】  ライティングダクト用アダプターは通称ダクトプラグと呼ばれ、主にスポットライト等の照明器具に組み込まれ、器具内蔵用として使用される場合が多い。以下、ダクトプラグと称する。スポットライト形照明器具は、その性格から照射方向を調整可能とすることが必須であり、ダクトプラグ下部には吊り下げアームと一体化した結合具が取り付けられ、概ね３６０度の回転摺動を可能としている。【０００３】  近年、ライティングダクトを壁面に横向きに取り付け、ダクトプラグを内蔵した吊り下げ用照明器具を横向きに取り付けて、壁面や天井等を照射する使用例が増えている。
図１に従来のダクトプラグ組込器具を横向きに取り付けた場合の側面図を示し、以下に説明する。この場合、照明器具本体部２（例えばランプ収納部２ａや点灯装置収納部）に於いては十分な強度確保ができるが、既存のライティングダクト１や限定された形状寸法のダクトプラグ筐体３には予想外の負荷が掛かる。【０００４】  ライティングダクト１やダクトプラグ筐体３に対する負荷の主なものは、横に突き出したアーム２ｃと照明器具本体部２の自重による回転トルク負荷である。ダクトプラグ筐体３は、横向き取付されたライティングダクト１の取付面下端１ａを支点として、ライティングダクト１の開口折返し部１ｂ内側に引っ掛かった上下の引掛爪３ａ，３ｂで支える事になる。この時、回転トルクを支えるための垂直距離は概ねライティングダクト１の取付面の垂直寸法以下となり、ダクトプラグ筐体３の下端部３ｃは圧縮荷重を受け、上側引掛爪３ｂは引っ張り荷重を受ける。同時にライティングダクト１の取付面下端１ａも同様の圧縮荷重を受けている。【０００５】  ライティングダクト１及びダクトプラグ筐体３は、その構造と部材の強度にもよるが、圧縮荷重に対しては比較的強固で十分な強度を有している。また、それらが受ける圧縮荷重は、それらを支える背後の構造物に直接的に受け渡すことができ、ライティングダクト１の筐体が座屈しない限り変形等は発生し難い。【０００６】  一方、ダクトプラグ筐体３の上側引掛爪３ｂは、ダクトプラグ筐体３本体部とライティングダクト上側縁端１ｃから引き裂く方向の引っ張り荷重を受ける。上側引掛爪３ｂの根元部分に於ける荷重は、支点となるライティングダクト取付面下端１ａからの垂直距離も最小となって、器具重量の数倍から十数倍の荷重に晒される。そして同様に、ライティングダクト１の開口折返し部１ｂも、上記の上側引掛爪３ｂから強烈に引っ張られて膨らみ変形する。特に引掛爪が一カ所の場合には、荷重が集中して、上側引掛爪３ｂの部分のみが大きく変形する。【０００７】  ライティングダクト１は数カ所で構造物に木ねじ等で固定されているが、ライティングダクト１の筐体が弾性を有すること、ねじ止め固定された箇所と負荷が掛かる位置が離れること、等によって集中荷重が加わった場合等の変形は大きくなる。そして、その変形はライティングダクト１内の導体１ｄ位置とダクトプラグの接触片３ｄの位置関係を狂わせて接触不良の原因にもなっていた。【０００８】  その対策として、横向き取付専用のダクトプラグがある。それらは回転操作レバー付きの複数個の引掛爪を備えている。当然の事として、少量専用品となり、構造も複雑になり総じて高価で、組立作業も施工作業も繁雑になっていた。そして最大の欠点は、支持幅の狭い引掛爪の強度に依存する構造は変わらず、その結果として高価な専用部品であるのに剛性感に欠け、かつ信頼性を欠くものであった。【０００９】  一方、ライティングダクトの横向き使用に於いては、取り付ける高さ制限と共に、横向き開口部分をカバー等で覆い隠す必要がある。その為のカバー類は、取り付けられたダクトプラグの隙間をも埋める必要があるが、円筒を基本構造とするダクトプラグ筐体３に合わせて円弧状に切断する事は困難な作業となっていた。カバー類を簡易的に垂直切断した場合は隙間が生じて、体裁を損なっていた。【００１０】  また、ダクトプラグ筐体３と照明器具本体部２のアーム２ｃとの結合部に於いても、その結合構造の嵌合裕度の大小および結合具２ｅの形状によっては、下向きに屈曲し体裁を悪化させていた。一般に、ダクトプラグ筐体３の下端（横向き取付の場合は反壁面側）に、吊り下げパイプとなるアーム２ｃの結合部を備えるが、この部分も横向き取付時には、撓みを生ずる部分となっている。ダクトプラグ本体の取付部と化粧ねじで結合部を締め込む構造にはなっているが、結合具２ｅのフランジ直径が小さい等の理由で剛性を維持できなかった。
【発明の開示】
【発明が解決しようとする課題】
【００１１】  前項の問題に鑑み、最小限の構造変更と専用部品の追加で、剛性と信頼性の高い横向き取付対応型のダクトプラグ装置を供給し、吊り下げ使用時にも違和感のない構造として共用を計りコスト上昇を防ぐと共に、ダクトカバーとの調和をも考慮した施工システムの具体化を課題とする。
【問題を解決するための手段】
【００１２】  本発明は、ライティングダクト１とダクトプラグ筐体３の横向き取付に於いて、双方の上側筐体部に強烈な引っ張り荷重がかかっている事と、ダクトカバーの取付が必須である事に注目した。そして、ダクトプラグの上側引掛爪３ｂとその周辺に荷重が集中して、局部的な変形変位が発生して接触不良等が併発していることに注目した。
【００１３】  以上のことから、基本的な解決手段として、ダクトプラグの引掛爪に直接負荷を掛けるのを止め、張力荷重は別個の補強補助具で支える事とする。
図２は、本発明によるダクトプラグ装置の取り付け構造を示す斜め後方からの斜視外観図である。
図３は同様に、実装外観を示す斜め下方からの斜視外観図である。
図４は、本発明によるダクトプラグの構造を示す部分断面を施した斜視図である。
以下、図を参照して説明する。
【００１４】  本発明は具体的には、ライティングダクト１の開口折り返し部１ｂとダクトプラグ筐体３最上部を、補強補助具５で引き寄せる構造とする。照明器具本体部２の荷重は、連結されたアーム２ｃから、化粧ナット１３で締め付けられたダクトプラグ筐体３に伝わり、筐体最上部に設けた突起部３ｅを介して補強補助具５に伝え、補強補助具５はダクトプラグ筐体３外周部に伸ばしたフレーム腕部５ｃと先端の大爪５ｄを介し、ライティングダクト１の開口折り返し部１ｂに伝える構造を採る。
【００１５】  この構造によって張力荷重は、少なくとも二カ所に分散してライティングダクト１に伝えられると共に、ダクトプラグ筐体３最上端で支持するので垂直距離を大幅に拡大でき、必要な張力荷重を反比例的に減ずることができる。張力荷重印加部を二カ所に分散する事で、ライティングダクト筐体内では更に分散が進み剛性感が上げる。更に、補強補助具５の大爪５ｄ先端をライティングダクト１の開口折返し部１ｂ内側奥部に進入させて引っ掛ける事で、ライティングダクト１の開口折返し部１ｂの先端の最弱部である上側縁端１ｃを避け、剛性を上げる事ができる。
【００１６】  また、補強補助具５は、事前にライティングダクト１に仮止め可能な構造として、器具と一体のダクトプラグを取り付ける作業は、従来と同様の手順でできる構造とする。これは、ダクトカバー４の施工を容易にする。更に、ダクトプラグ取付時の回転操作と補強補助具５によって、ライティングダクト側に引き付ける予備張力を与える事とする。これにより、実取付状態に於いてダクトプラグ筐体３がライティングダクト１から浮き離れる事を防止する。
【００１７】ダクトプラグ筐体３と照明器具本体部２の連結アーム２ｃの結合は、中間の結合具である回転摺動具１１のフランジ部１１ａをダクトプラグ筐体３の内側最大径に設定し、化粧ナット１３を締め込んだ際の剛性強化を計る。また、フランジ部の最大化は照射角度調整時に於ける角度制限装置類をより外側の最大径となるように設定でき、耐トルク性が向上する。更に、中央部分には内径を拡大した円柱状の空間を確保することができる。
【発明の効果】
【００１８】  本発明の最大の効果は、補強補助具５を追加するだけで、ダクトプラグを組み込んだ照明器具等を横向き取付でも使用できる事である。ダクトプラグ筐体３は、横向き取付の為の専用装備を有しているが、それはライティングダクト１の取付面に近接した最上部に設ける突起部３ｅのみである。この突起部３ｅは、既存の略円筒状を構成するダクトプラグ本体６とダクトプラグ蓋７の筐体最外郭に追加するのであるから、既存金型に対して切削加工を行うだけで済み、安価に簡単に対応できる。それだけで照明器具等は吊り下げ形と横向き取付形との共用対応仕様にすることができる。
【００１９】  概略円筒形状のダクトプラグ筐体３に追加する突起部３ｅは、実使用時では比較的目立たない部分であり、縦型の吊り下げ用途にも違和感なく使用することができる。この事は要求絶対数の少ない横向き取付専用のダクトプラグを作る必要がなく、一般的な用途である吊り下げ形との共用化が可能になり、無駄なコストアップを抑えて、製造者と消費者の双方に利益をもたらす。
【００２０】  更に、本発明のダクトプラグを組み込んだ吊り下げ形照明器具は、補強補助具５の追加という最小限のコストで、横向き取付へ変更が可能になる。これは、照明空間に於ける照明手法の自由度が大きくなり、演出照明の自由度を増大させることができる。
【００２１】  本発明による横向き取付専用部品は、補強補助具５の一点だけである。これは軽荷重用として強化合成樹脂製の１個の部品で済み、横向き取付に於けるコストを最小限にすることができる。更に重荷重用として、内側に金属補強板を貼り合わせても二個の部品で構成でき、組立も圧入等で簡単に行うことができてコスト上昇を抑える事ができる。総じて、安価に横向き取付を実現できる。
【００２２】  施工性の面では、ダクトカバー４の施工が極めて容易になる。補強補助具５は、ダクトカバー４の取り付けと同時に事前施工ができて、工具も必要としない。また、取付後も照明器具本体部２を取り付けるまでは、自由にライティングダクト上を移動させることができて取付位置の調整ができる。
【００２３】  また、ダクトカバー４の長さ調節は直角切断加工のみで対応でき、従来の様な円弧形状の切断加工は不要となり、切断加工行程が大幅に簡略化できる。更に、垂直切断加工により長短カバーの組み合わせが可能となるので、端材の有効活用が可能となり、後々の位置変更も可能にする。更に切断済みダクトカバーの標準化を行う事で施工性の改善やレイアウト変更の柔軟性を拡大することができる。
【００２４】  本発明による横向き取付構造および装置は、ライティングダクト１の筐体構造物とダクトプラグ筐体３の本体外郭で有るダクトプラグ本体６とダクトプラグ蓋７に荷重を掛けて張力荷重を支える。この構造により、ライティングダクト１およびダクトプラグの電気的接続部等には負荷が掛からない。また、ダクトプラグの上側引掛爪３ｂに殆ど荷重を掛けないで済む。照明器具本体部２の重量と連結アーム２ｃの長さに応じて、補強補助具５とダクトプラグ筐体３の強度を上げる事で対応ができて、内部の接続部品等は吊り下げ用ダクトプラグと共用できる。
【００２５】  補強補助具５の大爪５ｄがライティングダクト１に引っ掛かる水平方向の位置は、ダクトプラグ筐体３の外側になる。その為に少なくとも負荷は二カ所に分散でき、更にダクトプラグの上側引掛爪３ｂを含めると三カ所に分散できる。更に大爪５ｄは、ライティングダクト１の開口折返し部１ｂの根元に寄った高剛性の部分に張力負荷を渡す。一方、ライティングダクト１は高剛性が期待できる少なくとも二カ所で負荷を吸収する事になるので、を負荷を幅広く分散することができて、局部的な変形は発生し難い。結果的に剛性が上がり、変形も押さえることができて、電気的接触も安定する。
【００２６】  ダクトプラグ筐体３内側の最大径まで拡大した回転摺動具１１と摺動回転子１２によって、照射角度調整時の可動制限ストッパー機能の耐久性が向上すると共に、中央部の空間は器具内配線２ｄを引き回す際の貴重なスペースとなっている。器具内配線２ｄをスムーズに屈曲させることができて、組込作業を楽にしている。
【００２７】  約３００度を往復回転する回転摺動具１１は、約９０度を往復回転する摺動回転子１２で覆われているので、器具内配線２ｄは大角度の照射角度調整時の動きに対して保護される。また、金属性の回転摺動具１１に対して樹脂製の摺動回転子１２は、器具内配線２ｄに対しての保護部材としても機能する。
【００２８】  摺動回転子１２を略Ｓ字状にしたことで、ダクトプラグ筐体３に対するストッパー構造と、照明器具本体部２と直結した回転摺動具１１に対するストッパー構造を上下両面に設置することができ、薄くコンパクトな構造が実現できた。しかも上下に屈曲させることにより引っ掛かり部を２カ所以上の立体面で支持することが可能となり、従来の耐曲げ構造から耐剪断構造へと変換することができ、耐久強度を大幅に向上させることができる。
【発明を実施するための最良の形態】
【００２９】  本発明は、壁面に開口部を横向きに取り付けられたライティングダクトに、器具内蔵用ダクトプラグを使用して取り付け、ダクトプラグから一定の距離を水平方向に伸ばした支持アームでランプ収納部を支えて、壁面や天井面を主に照射する照明装置に適用することを最良の実施形態とする。【００３０】  以下、本発明の実施形態について図面を参照して説明する。
図５及び図６は、横向き取付対応の構造を説明するために部分断面を施した上方および下方から見た分解斜視図である。【００３１】  本発明に於けるダクトプラグの取付方法と形状は、その構造から、ダクトプラグ全体を９０度回転させて着脱を行う方式の概略円筒形状に限定される。それ以外の構造では、補強補助具の形状寸法が異形状になって、無用に大きくなる一方で、剛性強度を低下させて、実用的ではない。概略円筒形状以外の場合には、補強補助具５を横方向に摺動させる構造として具体化可能であるが、摺動分の空間が必要になったり、ダクトカバー４との施工手順が複雑になったり、摺動構造のための部品増加、等の無駄が発生する。【００３２】  また、本発明の詳細説明はライティングダクト１内の導体１ｄおよび絶縁体１ｅ形状、ダクトプラグ筐体内の接触片３ｄやアダプター端子８や接地端子９及びそれらを覆う端子カバー１０やその他の器具内用接続端子構造、等について述べないが、それらの構造の如何に関わらず本発明は応用実施することができるものである。また、その接続構造等は従来の接続端子構造でも、本発明に於ける説明図のような簡易速結型でも構わない。その理由は、本発明の構造上、ダクトプラグ筐体３の外郭にのみ負荷が掛かり、引掛爪３ａや内部の接続部品に対して何ら負荷を与えないからである。【００３３】  図１の様に、本来は垂直方向に吊り下げる構造のライティングダクトとダクトプラグを横向きに取り付けた場合は、横向きに突き出した照明器具本体部２を、ライティングダクト１及びダクトプラグ筐体３の狭い取付面で支える必要がある。特に取付面の垂直距離を最大限に活用する構造が効果的であって、本発明は、その具体化として図２の様に、ライティングダクト１の開口折返し部１ｂとダクトプラグ筐体３の最上部を補強補助具５で引き寄せる構造とする。【００３４】  補強補助具５は、照明器具本体部２の重量と連結アーム２の長さとに因って発生する回転トルク負荷に対応すべく相応の強度を必要とする。回転トルク負荷を支えるために補強補助具５が受ける引っ張り荷重は、ダクトプラグ筐体３形状とライティングダクト１の幅寸法で決まる。つまり、ライティングダクト１の取付面下端１ａまたは実使用時のダクトプラグ筐体３の筐体下端部３ｃを支点として、ダクトプラグ筐体３最上部に設けた突起部３ｅ位置との垂直距離で概ね決まる。その垂直距離を拡大することで補強補助具５に加わる張力負荷は軽減できる。埋め込み型ライティングダクトであれば、ダクトプラグ筐体の下側を突出させて支点を下げ、垂直距離を拡大する方法も可能であるが、露出型ライティングダクトの場合は形状が複雑になり現実的ではない。また、外観体裁を悪くする。【００３５】  垂直距離を最大限にする目的で、ダクトプラグ筐体３の最上部位置に突起部３ｅを設けている。これは組立構造上、二分割されたダクトプラグ本体６とダクトプラグ蓋７の双方の最上部に相当する部分に突起６ａ，７ａとして設けている。合成樹脂の射出成形で製造している場合は、金型を削り込む事で実現できて大規模な構造変更を必要としない。
また、縦向きの吊り下げ使用時に於いても何らの支障が無く、兼用型としての使用が可能である。必要に応じて筐体外郭の強度を向上させるべく、成形材料の検討や補強構造の追加といった検討と実施を行えばよい。【００３６】  図７は、補強補助具５の構造と形状を示す表裏二面の斜視図である。補強補助具５は、一個の部品であるが、概略三つの部分に分けられる。ダクトプラグ筐体３の突起部３ｅを引っ掛ける引掛部５ｂを備えた上部フレーム５ａと、先端にライティングダクト１の開口折返し部１ｂに引っ掛かる大爪５ｄを備えたフレーム腕部５ｃと、仮止め用の小爪５ｆとダクトプラグ筐体３を概略中央に納める穴とを設けると共にダクトカバーとの連接配置を可能とする取付ベース部５ｅ、から成る。正面から見るとダクトプラグ筐体３が収まる丸穴が開いていて、横から見ると二重に「く」の字形に折れ曲がっている。【００３７】  引掛部５ｂはダクトプラグ筐体３外郭に密接する様に円弧状に設けられている。これは引掛部５ｂを支える上部フレーム部５ａとライティングダクト１に荷重を伝えるフレーム腕部５ｃの大爪５ｄを最短距離で結ぶと共に、概略荷重印加方向と平行かつ直線的に配置して無用の撓みや曲がりの発生を防ぎ、剛性向上を目的としている。大爪５ｄは、ライティングダクト１の開口部から斜め角度で挿入した後、取付状態方向に回転しながら上方向に移動する。この作用によって大爪５ｄは、ライティングダクト１の開口折返し部１ｂの根元に近い部分に荷重を伝え、変形を最小限にする構造を採っている。【００３８】  図８は、ライティングダクト及び補強補助具への取付嵌合状態を示す斜視図である。但し、見易い様にライティングダクトの図示は省略している。
取付ベース部５ｅは、従来と同様の手順でダクトプラグが着脱できる様に配慮されている。取付時には追加された突起部３ｅも９０度回転するために、突起部３ｅの挿入空間と可動範囲を避けるように凹部５ｇとそれに続く円弧状のガイド部５ｍが設けてある。また、斜めに伸びているフレーム腕部５ｃも突起部３ｅの回転を妨げない様に、切欠部５ｈを設けている。そして９０度回転して正規取付角度に収まった時点で、突起部３ｅは引掛部５ｂの裏側に潜り込んでライティングダクト側へ引き戻されて、ダクトプラグ筐体３はライティングダクト１に密着する。【００３９】  ダクトプラグ筐体３と補強補助具５との嵌合具合および予備張力の付与程度は、突起部３ｅの形状および寸法と、補強補助具５の引掛部５ｂの案内傾斜の設定と、大爪５ｄの形状および補強リブの設定、等で調整できる。更に強度を必要とする場合には、上部フレーム５ａと大爪５ｄを含めたフレーム腕部５ｃの内側に補強金具１４を組み込めばよい。【００４０】  補強補助具５は、単独且つ先行してライティングダクト１に取り付ける事ができる。また取付ベース部５ｅは、両側を垂直に切り落とす構造を採り、断面形状と色相も概略ダクトカバー４に合わせている。更に、取付ベース部５ｅがダクトカバー４より大きくなる場合は、ダクトカバー４の垂直寸法に合わせた垂直直線部５ｊを設けて、少なくとも下側部分に段差等が発生しないように配慮している。これらは、ダクトカバー４の長さ調整を容易にし、直角切断加工を可能とする。【００４１】  そして、点灯装置収納部を含む照明器具本体部２からの連結アーム２ｃとダクトプラグ筐体３との垂れ下がり対策は、連結アーム２ｃを固定した回転摺動具１１の外周に雄ねじ１１ｄを設け、それと嵌合する雌ねじ部１３ａを有する化粧ナット１３で、ダクトプラグ筐体３を締め付ける事で剛性を高める方法を採る。この手法は横向き取付用の必須で専用手段ではないが、縦向き吊り下げ用途にも兼用できて、本発明の補強補助具５と組み合わせて使用することでその効果が引き立つものである。【００４２】  照明器具本体部２に取り付けられたアーム２ｃから引き出された器具内配線２ｄは、化粧ナット１３と、回転摺動具１１を通過する。そしてアーム２ｃは回転摺動具１１から突出する押しねじ等で固定されて一体化している。それから、器具内配線２ｄの捩れを防ぐ為に調整回転角度を制限する摺動回転子１２に器具内配線２ｄを通してから、所定の端子または接続部に器具内配線２ｄを接続する。その後、回転摺動具１１は摺動回転子１２と組み合わされて、ダクトプラグ本体６の回転機構収納部６ｂに挿入される。余分な器具内配線２ｄを端子カバー１０のクリップ部１０ａ等で整えた後に、ダクトプラグ蓋７を組立ねじで締め付ける事で、器具内配線２ｄは配線押さえ板７ｄで押さえられ、接続部に照明器具本体部２の照射角度調整時の動きを伝えない様にしている。【００４３】  図９は、回転制限を行う摺動回転子１２の構造を示す部分断面を施した斜視図である。摺動回転子１２の中央は筒状にして中心嵌合部１２ａを形成し、回転摺動具１１の収納部１１ｂに収まる。これは、ランプ収納部２ａの角度調整する際の過回転防止時のトルクを確実に受け止め、同軸合わせ��より無用な偏心荷重の発生を防ぐためである。回転摺動具１１のフランジ部１１ａは、ダクトプラグ筐体３の内側に設定できる最大径として垂直距離を稼ぎ、化粧ナット１３を締め込んだときの剛性向上を計っている。更に、ランプ収納部２ａの回転を制限するストッパー機能を構成するリブ等は、極力最大外径となる位置に設定して、耐トルク性能の向上を行っている。更にリブの設置構造は、筐体や回転摺動を行う部品の各々の隅部に設定し、２辺または２方向以上で支えるようにして強度を増す構造としている。【００４４】  具体的には、摺動回転子１２の断面は略Ｓ字型の形状を有している。円筒状の中心嵌合部１２ａから拡がったフランジは、上部円弧面１２ｂと一段下がった下部フランジ１２ｄを構成している。そしてこの下部フランジ１２ｄは、回転摺動具１１と同様に、可能な最大外径まで拡がっている。摺動回転子１２は略Ｓ字型に屈曲した上下両面を活用して回転制限構造を組み込んでいる。下部フランジの上面には回転子リブ１２ｅを設け、上部円弧面１２ｂの下面内にはＣ字形溝１２ｃを設けている。回転子リブ１２ｅは、下面フランジ１２ｄと上部円弧面１２ｂに繋がっていて、ダクトプラグ本体６および蓋７の回転止リブ６ｃ，７ｃに引っ掛かる。Ｃ字形溝１２ｃの切り残し部分のピン受け１２ｆは、回転摺動具１１に設けてある可動制限ピン１１ｃを受け止めるストッパーとして機能する。【００４５】  摺動回転子１２は、ダクトプラグ筐体３に対して約９０度の往復回転摺動を行い、回転摺動具１１に対しては約３００度の往復回転摺動を許容している。この組み合わせによって照明器具灯体部２は、ダクトプラグ筐体３に対して３６０度以上の照射方向調整を可能としている。更に、これらのストッパー機能を構成するリブ等は、相互の嵌合相手のリブや曲面に合わせて造形していて、極力、曲げ応力による荷重支持から剪断応力による荷重支持に切り替えて強度向上を実現している。【００４６】  横向き取付に於いては、ダクトプラグ回転軸を中心として照明器具灯体部２の偏心荷重により、ダクトプラグ筐体３及びライティングダクトに対して回転負荷が掛かる。これは縦型吊り下げ時には問題にならないが、横向き取付に於いては器具の自重により照射方向が変わるという問題に繋がる。この為、横向き取付では、化粧ナットを締め付けた後は可動しないことが要求される。
一方、縦向き吊り下げ時には、照射方向調整のために一定の操作力以上で円滑に可動することが望まれる。その際は、調整可動操作による緩み防止と円滑摺動を実現する為に、ダクトプラグ筐体３と化粧ナット１３の間に樹脂製のワッシャーを追加する等で具体化できる。
【実施例１】
【００４７】  図２は、比較的小型の白熱電球類を光源としたスポットライトを横向き取り付けした際のダクトプラグ部分の取付構造を示す斜視図である。この場合は、照明器具灯体部２が小型軽量に仕上がるため、補強補助具５は強化樹脂製の一体構造物で仕上がっている。この形状ではフレーム腕部の傾斜を利用してライティングダクト１に仮止めを行うことができる。
図１０にその取付手順を図示する。フレーム腕部５ｃの傾斜が、大爪５ｄをライティングダクト１の開口折返し部１ｂの奥へ挿入するのに役立っている。【００４８】  補強補助具５の上部両端は、ダクトプラグの寸法によっては、ダクトカバー４との隙間が生じる場合がある。その隙間を不可とする場合は図１１の様に、取付ベース部５ｅの中央にセルフヒンジ部５ｋを設けて、上半分を水平移動させて取り付ける構造が考えられる。
図１２にその取付手順を図示する。この場合は上部フレーム５ａ全体が、ダクトプラグ筐体３の突起部３ｅとその可動範囲を完全に覆い隠している。一方その覆い隠している部分は有効な補強部材として効果的に機能する。
【実施例２】
【００４９】  図１３は補強補助具５の内側に補強金具１４を内蔵して強度を高めた例である。近年では小型小出力の高効率ＨＩＤランプを応用した照明器具が増えている。ＨＩＤランプには電子安定器が必要不可欠で、小型軽量化が進んだとはいえ相応の重量を有している。これらの照明器具を横向きに取り付ける場合は、回転トルクの影響で補強補助具５には大きな引っ張り荷重が掛かる。その場合には、温度と荷重と累積時間の積によるクリープ現象の発生が考えられ、垂れ下がりの原因に成りうる。【００５０】  それを防ぐために、高荷重対策用として補強補助具５に補強金具１４を組み込む構造を採る。補強補助具５の構造から、ライティングダクト１の開口折返し部１ｂからダクトプラグ筐体３の突起部３ｅの間を補強すればよい。具体的には、樹脂製の補強補助具５の内側を、補強金具１４の材料厚さ以上の深さ削り込んで収納空間を作っている。固定方法は部分的に圧入して引っ掛けている。この場合は補強金具１４が大部分の荷重を受け、樹脂製の補強補助具５はライティングダクト１内の導体１ｄに対する絶縁強化と、外観体裁の維持と、仮止め機能、等を受け持つ。【００５１】  補強補助具５と補強金具１４は、完全に密着する必要はなくて、部分的に圧入密接することで足りる。また金具の加工時に発生する破断面エッジを避けるために、樹脂等で完全にコーティングする必要がある場合には、インサート成型や、樹脂外皮を最中合わせにする、等の構造が考えられる。何れにしても、施工現場に於いては、ダクトプラグ外径に合わせて標準化した補強補助具５を準備すれば済み、特別な工事を不要とする。【００５２】  また、補強補助具５及び補強金具１４の形状は、立体的に成形してダクトプラグ筐体３に概略密着する形状にすることも可能で、用途と、素材の種類、必要強度、に応じて各種の変化とその応用を実施することができる。
【図面の簡単な説明】
【００５３】
【図１】    従来のダクトプラグ組込の器具を横向きに取り付けた場合を示す側面図である。
【図２】    本発明によるダクトプラグの取り付け構造を示す斜め後方からの斜視図である。
【図３】    本発明によるダクトプラグの実装外観を示す斜め下からの斜視外観図である。
【図４】    本発明によるダクトプラグの構造を示す部分断面を施した斜視図である。
【図５】    本発明によるダクトプラグの構造を示す部分断面を施した下側分解斜視図である。
【図６】    本発明によるダクトプラグの構造を示す部分断面を施した上側分解斜視図である。
【図７】    本発明による補強補助具の構造を示す表裏二面の斜視図である。
【図８】    ダクトプラグのダクト及び補強補助具への取付嵌合状態を示す斜視図である。
【図９】    本発明による回転制限構造を示す部分断面した分解斜視図である。
【図１０】    本発明による補強補助具の仮止め施工手順を示す側面図である。
【図１１】    本発明の別の応用例による補強補助具を示す表裏二面の斜視図である。
【図１２】    本発明の別の応用例による補強補助具の仮止め施工手順を示す側面図である。
【図１３】    補強補助具に補強金具を組み込む構造を示す表裏二面の分解斜視図である。
【符号の説明】
【００５４】１        ライティングダクト
１ａ      取付面下端
１ｂ      開口折返し部
１ｃ      上側縁端
１ｄ      導体
１ｅ      絶縁体
２        照明器具本体部
２ａ      ランプ収納部
２ｃ      アーム
２ｄ      器具内配線
２ｅ      結合具
３        ダクトプラグ筐体
３ａ      引掛爪
３ｂ      上側引掛爪
３ｃ      筐体下端部
３ｄ      接触片
３ｅ      突起部
４        ダクトカバー
４ａ      取付爪
５        補強補助具
５ａ      上部フレーム
５ｂ      引掛部
５ｃ      フレーム腕部
５ｄ      大爪
５ｅ      取付ベース部
５ｆ      小爪
５ｇ      凹部
５ｈ      切欠部
５ｊ      垂直直線部
５ｋ      セルフヒンジ部
５ｍ      ガイド部
６        ダクトプラグ本体
６ａ      突起
６ｂ      回転機構収納部
６ｃ      回転止リブ
６ｄ      組立用ボス
７        ダクトプラグ蓋
７ａ      突起
７ｂ      回転機構収納部
７ｃ      回転止リブ
７ｄ      配線押さえ板
８        アダプター端子
９        接地端子
１０      端子カバー
１０ａ    クリップ部
１１      回転摺動具
１１ａ    フランジ部
１１ｂ    摺動回転子収納部
１１ｃ    可動制限ピン
１１ｄ    雄ねじ部
１２      摺動回転子
１２ａ    中心嵌合部
１２ｂ    上部円弧面
１２ｃ    Ｃ字形溝
１２ｄ    下部フランジ
１２ｅ    回転子リブ
１２ｆ    ピン受け
１３      化粧ナット
１３ａ    雌ねじ部
１３ｂ    ローレット部
１４      補強金具
１４ａ    上部フレーム
１４ｂ    引掛部
１４ｃ    フレーム腕部
１４ｄ    大爪
【図１】
2007035607.tif 000003
【図２】
2007035607.tif 000004
【図３】
2007035607.tif 000005
【図４】
2007035607.tif 000006
【図５】
2007035607.tif 000007
【図６】
2007035607.tif 000008
【図７】
2007035607.tif 000009
【図８】
2007035607.tif 000010
【図９】
2007035607.tif 000011
【図１０】
2007035607.tif 000012
【図１１】
2007035607.tif 000013
【図１２】
2007035607.tif 000014
【図１３】
2007035607.tif 000015